(57)【要約】【課題】台座内の空間を有効に利用することができると共に、複数の電池の交換作業を容易に行うことができる電池収容構造を提供する。【解決手段】  本発明は、扉２の内壁面２ｂに取り付けられる室内側ハンドル３に設けられる電池式の電気錠の電池収容構造３１，５０であって、室内側ハンドル３は、上方から下方に向かうに従って内壁面２ｂに近接するように形成されたカバー２０，５２の傾斜面部２０ａ（傾斜面）を有し、傾斜面部２０ａと内壁面２ｂとの間に形成された電源空間Ｓ２に収容されるカートリッジ３３を備え、カートリッジ３３は、奥行方向に並設される電池３２を保持する複数の電池保持部３５を備え、手前側に形成される第１保持部３６が、その奥側に形成される第２保持部３７より上方側に位置ずれして配置される。【選択図】図３
2014167238.tif 000002
【特許請求の範囲】
【請求項１】
扉の壁面に取り付けられるハンドルに設けられる電池式の電気錠の電池収容構造であって、
前記ハンドルは、一方から他方に向かうに従って前記壁面に近接するように形成された傾斜面を有し、該傾斜面と前記壁面との間に形成された空間に収容されるカートリッジを備え、
該カートリッジは、前記傾斜面から前記壁面に向かう奥行方向に並設される電池を保持する複数の電池保持部を備え、手前側に形成される電池保持部が、その奥側に形成される電池保持部より前記一方側に位置ずれして配置されるように構成されていることを特徴とする電池収容構造。
【請求項２】
前記カートリッジを収容する空間は、前記ハンドルを前記壁面に固定する台座に形成され、該台座は前記空間を開閉可能なカバーを有し、該カバーは前記台座に着脱可能に設けられ、
前記電池保持部は、前記各電池を縦向きに保持し、
前記空間は、前記カバーが前記台座から取り外された開放状態で、前記電池保持部に保持された電池を上下方向および前記奥行方向に直交する左右両側からそれぞれ着脱可能なように、前記傾斜面から前記壁面の近傍まで前記台座を切り欠いて形成されていることを特徴とする電池収容体構造。
【請求項３】
前記カートリッジは、奥側および手前側に２つの前記電池保持部を有し、該各電池保持部は前記電池を左右２個ずつ保持するように形成されていることを特徴とする請求項２に記載の電池収容体構造。
【発明の詳細な説明】
【技術分野】
【０００１】
本発明は、電池式の電気錠に好適に用いられる電池収容構造に関する。
【背景技術】
【０００２】
近年、商業施設、集合住宅等の出入口や一般住宅の玄関等では、ＩＣカード等をリーダにかざすことによりデッドボルトを電気的に駆動させて施解錠を行う電気錠が設置されている。このような電気錠の電源として電池を用いたものが、一般的に知られている。
【０００３】
例えば、特許文献１には、電気錠等に電力を供給する複数の電池（単三乾電池６本）を保持する電池ボックスを内側錠ケースの内部に装着する技術が開示されている。なお、内側錠ケースは、電池ボックスを設ける部分が室内側に突出して形成されている。
【先行技術文献】
【特許文献】
【０００４】
【特許文献１】特開平１０−１８４１３０号公報
【発明の概要】
【発明が解決しようとする課題】
【０００５】
しかしながら、従来の技術では、電池ボックスの装着するためのスペースを確保するために、内側錠ケースの一部を不自然に突出させた形状としなければならなかった。ここで、仮に、内側錠ケースを自然な形状とするために傾斜（湾曲）させた場合、電池ボックスの装着に利用されないスペースが多くなり、せっかく確保したスペースが無駄になる虞があった。特に、複数の電池を室内外方向に重ねて保持する電池ボックスを用いた場合には、自然な形状としつつ有効な装着スペースを確保することが非常に困難であった。また、重ねられた奥側の電池の交換を容易に行うことができないという問題もあった。
【０００６】
本発明は、台座内の空間を有効に利用することができると共に、複数の電池の交換作業を容易に行うことができる電池収容構造を提供することを目的とする。
【課題を解決するための手段】
【０００７】
本発明の電池収容構造は、扉の壁面に取り付けられるハンドルに設けられる電池式の電気錠の電池収容構造であって、前記ハンドルは、一方から他方に向かうに従って前記壁面に近接するように形成された傾斜面を有し、該傾斜面と前記壁面との間に形成された空間に収容されるカートリッジを備え、該カートリッジは、前記傾斜面から前記壁面に向かう奥行方向に並設される電池を保持する複数の電池保持部を備え、手前側に形成される電池保持部が、その奥側に形成される電池保持部より前記一方側に位置ずれして配置されるように構成されていることを特徴とする。
【０００８】
この構成では、傾斜面は一方から他方に向かって扉の壁面側に傾いているため、壁面と傾斜面と間の距離、すなわち奥行方向の長さは、一方側で長く、他方に向かうほど短くなるように形成されている。したがって、空間は、一方側が広く、他方に向かうに従って狭くなるように形成されている。この構成によれば、手前側の電池保持部は、奥側の電池保持部に対し、空間が広くなる一方へ位置ずれしている。このため、空間が狭くなる他方側には奥側の電池保持部のみが臨み、空間が広くなる一方側には奥側の電池保持部の手前側に位置する電池保持部が臨むこととなる。すなわち、カートリッジは、扉の壁面と傾斜面とが互いに平行ではなく、一方から他方に向かって奥行方向に窄まるような空間形状に合わせるように構成されている。これにより、カートリッジを配設する空間を確保するために台座を不自然に変形させたり大きくしたりする必要が無く、台座内の空間を有効に利用することができる。
【０００９】
また、この構成によれば、例えば、手前側から電池を着脱する場合、手前側の電池保持部に保持された電池を取り出した後に、奥側の電池保持部に保持された電池を取り出し、この逆の手順により電池が装着される。この場合、各保持部は互いに位置ずれして設けられているため、奥側の電池保持部の手前側には電池の交換作業を行うスペースが十分に確保される。これにより、各保持部の位置に関わらず、電池の交換作業を容易に行うことができる。
【００１０】
この場合、前記カートリッジを収容する空間は、前記ハンドルを前記壁面に固定する台座に形成され、該台座は前記空間を開閉可能なカバーを有し、該カバーは前記台座に着脱可能に設けられ、前記電池保持部は、前記各電池を縦向きに保持し、前記空間は、前記カバーが前記台座から取り外された開放状態で、前記電池保持部に保持された電池を上下方向および前記奥行方向に直交する左右両側からそれぞれ着脱可能なように、前記傾斜面から前記壁面の近傍まで前記台座を切り欠いて形成されていることを特徴とする。
【００１１】
この構成によれば、カバーを開放することにより、複数の電池保持部にそれぞれ保持された電池を左右両側方から容易に着脱することができる。また、各保持部に対する電池の着脱方向が側方であるため、電池の着脱時に伴うカートリッジの動きを少なくすることができる。これにより、例えば、カートリッジから延出する電源ケーブル等にかかる負荷が抑制され、電源ケーブルの損傷や、この電源ケーブルに接続されるコネクタの離脱等を防止することができる。
【００１２】
また、この場合、前記カートリッジは、奥側および手前側に２つの前記電池保持部を有し、該各電池保持部は前記電池を左右２個ずつ保持するように形成されていることを特徴とする。
【００１３】
この構成によれば、カバーを開放して両側面にそれぞれ２つの電池を露出させることができるため、各電池の交換を容易且つ迅速に行うことができる。
【発明の効果】
【００１４】
本発明によれば、台座内の空間を有効に利用することができると共に、複数の電池の交換作業を容易に行うことができる電池収容構造を得ることができる。
【図面の簡単な説明】
【００１５】
【図１】本発明の第１実施形態に係る電気錠システムを示す概略図である。
【図２】本発明の第１実施形態に係る電気錠システムの室内側ハンドルおよび室外側ハンドルを示す側断面図である。
【図３】本発明の第１実施形態に係る電池収容構造を示しており、（ａ）は側面図、（ｂ）は側断面図である。
【図４】本発明の第１実施形態に係る電力供給装置を示す斜視図である。
【図５】本発明の第２実施形態に係る電池収容構造を示す側面図であり、（ａ）はカバーを取り付けた状態を示し、（ｂ）はカバーを取り外した状態を示している。
【発明を実施するための形態】
【００１６】
＜第１実施形態＞
以下、図面を参照しつつ、本発明の第１実施形態に係るカートリッジおよび電池収容構造を備えた電気錠システムについて説明する。ここで、図１は第１実施形態に係る電気錠システムを示す概略図、図２は室内側ハンドルおよび室外側ハンドルを示す側断面図である。図３は電池収容構造を示しており、（ａ）は側面図、（ｂ）は側断面図である。なお、以降、説明の便宜のため、特に指定のない限り、図２において、扉の室外側である左側を正面（前）とし、扉の室内側である右側を背面（後）と規定する。
【００１７】
図１および図２に示すように、電気錠システム１は、扉２の室内外の両壁面にそれぞれ固定される室内側ハンドル３および室外側ハンドル４と、各ハンドル３，４にそれぞれ回転可能に支持される室内側操作レバー５および室外側操作レバー６と、各操作レバー５，６の回転に伴って扉２の木口２ａに対してラッチボルト７ａが進退可能に設けられるラッチ錠７と、室外側ハンドル４に設置される施解錠操作装置８と、施解錠操作装置８から送られる信号に基づいてデッドボルト９ａ，１０ａをそれぞれ駆動させる主電気錠９および副電気錠１０と、扉２の内部に設けられる制御装置１１と、施解錠操作装置８、各電気錠９，１０および制御装置１１に電力を供給する電力供給装置１２と、を備えて概略構成されている。
【００１８】
図２に良く示されるように、室内側ハンドル３は、扉２の内壁面２ｂに上下に離間して固定される室内上側台座１３および室内下側台座１４と、各台座１３，１４を連結するように延設される室内側連結部１５と、を有し、全体として背面側（室内側）に僅かに湾曲したアーチ状に形成されている。
【００１９】
室内上側台座１３から室内側連結部１５の上下方向中央に亘る部分の正面側（前側）には、室内側操作レバー５が設けられる操作レバー挿入部１６が凹状に形成されている。
【００２０】
室内上側台座１３は、側面視で上方に向かって内壁面２ｂ側に傾斜（正確には湾曲）するように形成されている。また、室内上側台座１３の下側は中空状を成し、配設空間Ｓ１が形成されている。この配設空間Ｓ１の上部に設けられた回転軸部１７には、捩りコイルバネ１８によって前方に付勢された状態で室内側操作レバー５が前後方向に回動可能に支持されている。室内側操作レバー５の上部には室内側ラッチバー１９が固定され、その先端の突起部１９ａが、ラッチ錠７を作動させる作動片（図示せず）に当接するように扉２内に延設されている。
【００２１】
室内下側台座１４は、側面視で下方に向かって内壁面２ｂ側に傾斜（正確には湾曲）するように形成されている。また、室内下側台座１４の上側には、電源空間Ｓ２を形成する凹部１４ａが前側に窪んで設けられている。凹部１４ａの開口部１４ｂは、室内下側台座１４の背面側が開放されると共に、左右両側壁１４ｃが前後方向略中央まで切り込まれて形成されている（図３（ａ）参照）。詳細には、開口部１４ｂは、背面視で上下方向に長い矩形状に、側面視で略三角形状に形成されている。なお、詳細は後述するが、凹部１４ａの底面１４ｅには、扉２の内壁面２ｂと平行に形成されており、電力供給装置１２が据え付けられている。
【００２２】
また、室内下側台座１４は、電源空間Ｓ２を開閉可能なカバー２０を有しており、カバー２０は、室内下側台座１４（の凹部１４ａ）に対して着脱可能に取り付けられている。室内下側台座１４は、カバー２０が電源空間Ｓ２（開口部１４ｂ）を閉塞した状態で、室内上側台座１３を上下反転させたような外観を成すようになっている。
【００２３】
図３（ａ）に示すように、カバー２０は、室内下側台座１４の外観を成すように湾曲する傾斜面部２０ａと、傾斜面部２０ａから前方に延出する左右一対の側面部２０ｂと、を有し、開口部１４ｂの縁部に当接して開口部１４ｂを閉塞できるように一体形成されている。詳細には、カバー２０は、背面視で上下方向に長い矩形状に、側面視で略三角形状に、上下方向から見て略Ｕ字状に形成されている。また、各側面部２０ｂの前端部には、室内下側台座１４の左右両側壁１４ｃに設けられたスナップフィット部１４ｄに係合するフック部（図示せず）が前方に向かって延設されている。
【００２４】
カバー２０の傾斜面部２０ａは下方に向かって扉２の内壁面２ｂ近接するように傾斜（湾曲）しているため、カバー２０で開口部１４ｂを閉塞した状態では、傾斜面部２０ａと、凹部１４ａの底面１４ｅ（或いは扉２の内壁面２ｂ）との間の距離（すなわち奥行方向の長さ）は、上端側で長く、下方に向かうほど短くなるように形成されている。したがって、電源空間Ｓ２は、上側が前後方向に広く形成され、下方に向かうに従って前後方向に狭くなるように形成されている。なお、カバー２０の傾斜面部２０ａが請求項にいう「傾斜面」の具体例である。
【００２５】
なお、図２および図３（ｂ）に示すように、凹部１４ａの下部には、電源空間Ｓ２と扉２内部とを連通させる配線孔１４ｆが開口している。また、室内上側台座１３の上部および室内下側台座１４の下部には、それぞれサムターン開口部３ａが貫通形成されている。また、室内上側台座１３の下端部および配設空間Ｓ１とサムターン開口部３ａとの間には、上下一対のネジ挿通孔３ｂが開口している。同様に、室内下側台座１４の上下両端部にも上下一対のネジ挿通孔３ｂが開口している。
【００２６】
続いて、図２に示すように、室外側ハンドル４は、上記した室内側ハンドル３と同様に構成されており、扉２の室外側壁面に上下に離間して固定される室外上側台座２３および室外下側台座２４と、各台座２３，２４を連結するように延設される室外側連結部２５と、を有し、全体として正面側（室外側）に僅かに湾曲したアーチ状に形成されている。
【００２７】
室外上側台座２３から室外側連結部２５の上下方向中央に亘る部分の背面側（後側）には、室外側操作レバー６が設けられる操作レバー挿入部２６が凹状に形成されている。
【００２８】
室外上側台座２３の下側に形成された配設空間Ｓ３内には、室外側操作レバー６が、捩りコイルバネ２８により後方に付勢された状態で回転軸部２７に回動可能に支持されている。室外側操作レバー６の上部には、扉２内に延設された突起部２９ａを有する室外側ラッチバー２９が固定されている。
【００２９】
なお、室外下側台座２４の下側は中空状に形成されている。室内上側台座１３の上部および室内下側台座１４の下部には、それぞれシリンダ開口部４ａが貫通形成されている。
【００３０】
また、各台座２３，２４には、各ネジ挿通孔３ｂに対応する位置に、それぞれ上下一対のネジ孔４ｂが設けられている。室外上側台座２３および室外下側台座２４は、それぞれ上記した室内上側台座１３および室内下側台座１４との間に扉２を挟むように配置され、各ネジ挿通孔３ｂに挿入して扉２を貫通させたネジＢ２の先端部を各ネジ孔４ｂに螺合させることで扉２に固定される。
【００３１】
上記の構成おいて室外から扉２を開放するには、室外側ハンドル４を把持して、室外側操作レバー６を前方に押圧する（室外側に引く）と、室外側操作レバー６と共に室外側ラッチバー２９が回転軸部２７を中心に前方に回動し、室外側ラッチバー２９の突起部２９ａが下方に移動する。そして、突起部２９ａが作動片を押下げることにより、ラッチボルト７ａの係止が解除され、ラッチボルト７ａが扉２の木口２ａから退避可能となる。なお、室内側ハンドル３の室内側操作レバー５を押圧操作した場合の作用は、上記した作用と同様であるため、その説明を省略する。
【００３２】
施解錠操作装置８は、例えば、非接触型ＩＣカード、キーヘッド、タグ若しくは指等で接触するタッチキー、テンキーまたは指紋等の生体認証式等のリーダ（図示せず）を備えている。
【００３３】
図１および図２に示すように、主電気錠９は、室内上側台座１３および室外上側台座２３の上部において木口２ａに沿うように扉２の内部に設けられている。主電気錠９には、扉２の木口２ａに対してデッドボルト９ａ進退させるモータやソレノイド等の駆動手段や駆動手段を制御する電気基板（いずれも図示せず）等が内設されている。主電気錠９には、手動でデッドボルト９ａを進退操作するためのサムターン（図示せず）が、室内上側台座１３のサムターン開口部３ａから室内に露出するように設けられている。さらに、主電気錠９には、機械的キーが挿入されて施解錠が行われるシリンダ錠（図示せず）が、室外上側台座２３のシリンダ開口部４ａから室外に露出するように設けられている。
【００３４】
副電気錠１０は、主電気錠９と同様に、室内下側台座１４および室外下側台座２４の下部において木口２ａに沿うように扉２の内部に設けられ、デッドボルト１０ａを進退させる駆動手段や電気基板等（図示せず）を備えている。また、副電気錠１０には、室内下側台座１４のサムターン開口部３ａから室内に露出するサムターンと、室外下側台座２４のシリンダ開口部４ａから室外に露出するシリンダ錠と、が設けられている（いずれも図示せず）。
【００３５】
図１に示すように、制御装置１１は、主電気錠９の上方において扉２の内部に設けられており、ＣＰＵ、ＲＯＭおよびＲＡＭ等を有するマイクロコンピュータ（図示せず）により構成されている。制御装置１１は、施解錠操作装置８（のリーダ）で読み取って送信された認証情報が正しい認証情報であるか否かを判別する機能等を有している。また、制御装置１１は、主電気錠９を施錠した場合に副電気錠１０も同時に施錠する施錠追従機能や、２つの電気錠９，１０のうち一方のみを解錠し、一定時間内に他方の電気錠を解錠しない場合に解錠した一方の電気錠を再び自動で施錠する施錠復帰機能を有している。
【００３６】
上記した制御装置１１による各種機能を実現するために、制御装置１１は、施解錠操作装置８と、主電気錠９と、副電気錠１０とに対し、それぞれケーブル３０を介して電気的に接続されている。すなわち、ケーブル３０を通じて制御情報等の伝送が行われている。
【００３７】
次に、上記した電気錠システム１の動作について簡単に説明する。なお、施解錠操作装置８、各電気錠９，１０、制御装置１１には、電力供給装置１２から電力が供給されているものとする。
【００３８】
先ず、室外側から入室しようとする者がＩＣカード等を施解錠操作装置８にかざすと、認証情報が制御装置１１に送信される。制御装置１１では、受信した認証情報が予め記憶された特定の認証情報と合致するか否かが判別される。この結果、合致すると判別された場合、制御装置１１から主電気錠９に解錠信号が出力され、主電気錠９が解錠される。また、主電気錠９の解錠に連動して、制御装置１１から解錠信号が出力され、副電気錠１０が解錠される。一方、合致せずと判別された場合には、主電気錠９の解錠は行われない。
【００３９】
次に、図３および図４を参照して、第１実施形態に係る電池収容構造について詳細に説明する。図４は、電力供給装置１２を示す斜視図である。なお、以降の説明では、前後方向、換言すれば、カバー２０の傾斜面部２０ａから内壁面２ｂに向かう方向を「奥行方向」とも呼ぶこととし、正面側を「奥側」とも呼び、背面側を「手前側」とも呼ぶこととする。
【００４０】
電池収容構造３１は、扉２の内壁面２ｂに取り付けられる室内側ハンドル３に設けられるものであり、電力供給装置１２と、室内下側台座１４およびカバー２０と、を含んで構成されている。
【００４１】
図３および図４に示すように、電力供給装置１２は、上記した室内側ハンドル３の室内下側台座１４に形成された電源空間Ｓ２（凹部１４ａ内）に配設されており、複数の電池３２と、各電池３２を縦向きに保持するカートリッジ３３と、を備えて構成されている。なお、第１実施形態では複数の電池３２として、円筒型の乾電池を４本使用している。
【００４２】
カートリッジ３３は、主要な外観を成すカートリッジ本体３４と、カートリッジ本体３４の内部に形成され、前後左右にそれぞれ２本ずつ並ぶように電池３２が保持される複数の電池保持部３５と、を備えて電源空間Ｓ２に収容されていている。
【００４３】
カートリッジ本体３４は、絶縁性の樹脂材料により、手前側（室内側）が開放された略箱状に一体形成されている。カートリッジ本体３４の下部には、前後方向略中間に段部３４ａが形成され、奥側が下方に向かって延設されている。また、カートリッジ本体３４は、凹部１４ａの底面１４ｅに当接し、底面１４ｅに対してネジや接着剤等の固定手段（図示せず）を用いて据え付けられている。なお、カートリッジ本体３４の左右両外側面には、それぞれリード金具４２が上下方向に延設されている。
【００４４】
第１実施形態に係るカートリッジ３３では、奥行方向に２つの電池保持部３５が並設されている。なお、以下、説明の便宜のため、奥側に形成される電池保持部３５を第１保持部３６と呼び、第１保持部３６の手前側に隣接して形成される電池保持部３５を第２保持部３７と呼ぶこととする。
【００４５】
第１保持部３６および第２保持部３７には、それぞれ２本の電池３２が左右に並んで保持されるようになっている。すなわち。電池保持部３５には、４本の電池３２が、平面視で前後左右に２行２列の格子状に配置されることとなる。
【００４６】
また、第１保持部３６と第２保持部３７との間の上部および下部には、それぞれ段差部３８が形成されている。第１保持部３６の手前側に設けられた段差部３８によって、第２保持部３７は、第１保持部３６に対して上方（一方）にずれた位置に設けられている。第１実施形態では、例えば、電池３２の軸方向の長さの１／３程度の長さだけ位置ずれしている。なお、下側の段差部３８は、カートリッジ本体３４の段部３４ａと表裏の位置関係となっている。
【００４７】
上記したように、電源空間Ｓ２は上方から下方に向かって前後方向（奥行方向）に窄められるように形成されている。この電源空間Ｓ２の形状に対応させるために、カートリッジ３３（カートリッジ本体３４）は、各保持部３６，３７を互いに位置ずれさせ、下端側が前後方向に短く（狭く）なるように形成されている。
【００４８】
第１保持部３６および第２保持部３７の下端には、それぞれ金属等の導電材料から成るコイル状の２つの第１接続端子４０が左右方向に並設されている。各第１接続端子４０は、各保持部３６，３７に保持された各電池３２の軸方向一端（下端）側に設けられた第１電極３２ａ（第１実施形態では負極）に接触するようになっている。同様に、第１保持部３６および第２保持部３７の上端には、それぞれ金属等の導電材料から成る板バネ状の２つの第２接続端子４１が左右方向に並設されている。各第２接続端子４１は、各保持部３６，３７に保持された各電池３２の軸方向他端（上端）側に設けられた第２電極３２ａ（第１実施形態では正極）に接触するようになっている。
【００４９】
奥側の各第２接続端子４１は、図４において右側のリード金具４２を介して手前側の各第１接続端子４０に接続され、手前側の各第２接続端子４１は、図４において左側のリード金具４２を介して電源ケーブル４３に接続されている。なお、電源ケーブル４３の負極側は手前側の各第１接続端子４０に接続されている。すなわち、各リード金具４２、各第１接続端子４０および各第２接続端子４１は、適正な電気回路を形成するように電気的に接続されている。
【００５０】
電源ケーブル４３は、電源空間Ｓ２から配線孔１４ｆを通って扉２内に延出し、その先端にはレセプタクルコネクタ４４が取り付けられている。レセプタクルコネクタ４４は、ケーブル３０に取り付けられたプラグコネクタ３０ａに接続されている。これにより、電力供給装置１２は、電源ケーブル４３およびケーブル３０を介して、施解錠操作装置８、主電気錠９、副電気錠１０、制御装置１１等に電源を供給するようになっている（図１参照）。なお、ケーブル３０は制御線の他に電力線等を含んで構成されている。
【００５１】
次に、上記した電池収容構造３１における電池３２の交換作業手順について説明する。
【００５２】
まず、作業者は、スナップフィット部１４ｄに対するフック部の係合を解除し、室内下側台座１４からカバー２０を取り外して、電源空間Ｓ２内の電力供給装置１２を露出させる。
【００５３】
次に、作業者は、背面側に露出した第２保持部３７に保持された各電池３２をやや下方に押下げながら、各電池３２を奥側から手前側に向かって取り外し、第１保持部３６の奥側（底面１４ｅ側）の第２保持部３７に保持された２本の電池３２を露出させる。
【００５４】
続いて、作業者は、第１保持部３６に保持された各電池３２をやや下方に押下げながら、各電池３２を奥側から手前側に向かって取り外す。そして、新しい電池３２（２本）を、第１保持部３６に対し、手前側上方から奥側下方に向かって押下げながら取り付ける。このとき、上部に設けられた段差部３８により第１保持部３６の手前側にスペースが形成されているため、作業者は、奥側の第１保持部３６に対する各電池３２の着脱を効率良く行うことができる。続いて、同様に、第２保持部３７に新しい電池３２（２本）を取り付けることにより、全ての電池３２の交換がなされる。
【００５５】
最後に、作業者は、再び、カバー２０により電源空間Ｓ２を閉塞し、フック部をスナップフィット部１４ｄに係合させることで、カバー２０が室内下側台座１４に取り付けられ、電池の交換作業が完了する。
【００５６】
以上のように、電源空間Ｓ２は上方（一方）から下方（他方）に向かって奥行方向に窄められるように形成されている。そして、第１実施形態に係る電池収容構造３１のカートリッジ３３では、第２保持部３７は、第１保持部３６に対し、電池３２の軸方向に沿って上方へ位置ずれしているため、第１保持部３６は窄められた電源空間Ｓ２の下方側に臨み、第１保持部の手前側に位置する第２保持部は、広げられた電源空間Ｓ２の上方側に臨むこととなる。すなわち、カートリッジ３３は、底面１４ｅ（或いは扉２の内壁面２ｂ）と、カバー２０の傾斜面部２０ａとが互いに平行しておらず、上方から下方に向かって奥行方向に窄まるような電源空間Ｓ２形状に合わせるように構成されている。これにより、カートリッジ３３を配設する電源空間Ｓ２を確保するために室内下側台座１４を不自然に変形させたり大きくしたりする必要が無く、室内下側台座１４内の電源空間Ｓ２を有効に利用することができる。
【００５７】
また、第１実施形態に係る電池収容構造３１のカートリッジ３３では、手前側から各電池３２を着脱するため、第２保持部３７に保持された各電池３２を取り出した後に、奥側の第１保持部３６に保持された各電池３２を取り出し、この逆の手順により各電池３２が装着されることとなる。この場合、各保持部３６，３７の間には段差部３８が設けられているため、奥側にある第１保持部３６の手前側には電池３２の交換作業を行うスペースが十分に確保される。これにより、各保持部３６，３７の位置に関わらず、電池３２の交換作業を容易に行うことができる。
【００５８】
さらに、カートリッジ３３は電源空間Ｓ２内に固定される所謂据付け型であるため、電池３２の交換時に、カートリッジ３３が移動することにより電源ケーブル４３に負荷がかかることがない。これにより、電源ケーブル４３の損傷や、レセプタクルコネクタ４４の離脱等を有効に抑制することができる。
【００５９】
なお、第１実施形態に係る電池収容構造３１では、カバー２０を開放すると左右両側面も開放されるが、第１実施形態に係るものでは手前側から電池３２が着脱されるため、開口部１４ｂおよびカバー２０は、少なくとも手前側のみが開放可能に構成されていればよい。
【００６０】
＜第２実施形態＞
次に、図５を参照し、本発明の第２実施形態に係る電池収容構造について説明する。図５は電池収容構造を示す側面図であり、（ａ）はカバーを取り付けた状態を示し、（ｂ）はカバーを取り外した状態を示している。なお、以降、上記した第１実施形態と同様の構成については、同一の符号を付し、その説明を省略する。
【００６１】
上記した第１実施形態に係る電池収容構造３１では、手前側から各電池３２の着脱が行われていた。これに対し、第２実施形態に係る電池収容構造５０では、電源空間Ｓ２は、カバー５２が室内下側台座１４から取り外された開放状態で、各保持部３６，３７に保持された各電池３２を左右両側からそれぞれ着脱可能なように、カバー５２の傾斜面部２０ａが臨む位置から内壁面２ｂの近傍まで室内下側台座１４を切り欠いて形成されている。
【００６２】
具体的には、室内下側台座１４に凹設された凹部１４ａの開口部５１は、室内下側台座１４の手前側が開放されると共に、左右両側壁１４ｃが底面１４ｅ（扉２の内壁面２ｂ）の近傍まで切り込まれて形成されている。開口部５１は、側面視で、上方に向かって手前側に傾斜した辺を上部に有する五角形状に形成されている。また、カバー５２は、この開口部５１を閉塞可能な形状に形成されている。したがって、カバー５２を開放すると、カートリッジ３３の各保持部３６，３７（電池保持部３５）の全体が、開口部５１の左右両側面から露出するようになっている。
【００６３】
第２実施形態に係る電池収容構造５０において、電池３２の交換作業は、カバー５２を取り外した開放状態で、第１保持部３６および第２保持部３７に保持された各電池３２を左右両側方から着脱することで行われる。すなわち、左側に露出した前後２本の電池３２は、左方向に向かって取り外され、右側に露出した前後２本の電池３２は、右方向に向かって取り外される。
【００６４】
以上の第２実施形態に係る電池収容構造５０のカートリッジ３３によれば、カバー５２を開放して左右両側面にそれぞれ２本の電池３２を露出させることができるため、各電池の交換を容易且つ迅速に行うことができる。また、各保持部３６，３７に対する各電池３２の着脱方向が側方であるため、電池３２の着脱時に伴うカートリッジ３３の動きを少なくすることができる。これにより、例えば、カートリッジ３３から延出する電源ケーブル４３等にかかる負荷が抑制され、電源ケーブル４３の損傷やレセプタクルコネクタ４４の離脱等を防止することができる。
【００６５】
なお、例えば、第１保持部３６および第２保持部３７に１本ずつの電池３２を保持させた場合には、一方の側面のみを開放可能なように、開口部５１およびカバー５２を形成すればよい。この場合でも、カバー５２を開放することにより、各保持部３６，３７にそれぞれ保持された電池３２を側方から容易に着脱することができる。
【００６６】
また、図示は省略するが、第１保持部３６および第２保持部３７に保持される２本の電池３２を結束部材により一体に束ねてもよい。この場合、結束部材により束ねられた状態の２本の電池３２が、各保持部３６，３７に対して一体に着脱される。
【００６７】
なお、上記した第１および第２実施形態に係る電池収容構造３１，５０では、室内下側台座１４（或いはカバー２０，５２の傾斜面部２０ａ）が湾曲形成されていたが、これに限定されるものではなく、例えば、傾斜面部２０ａが直線的に傾斜するように形成されていてもよい。
【００６８】
なお、上記した第１および第２実施形態に係る電力供給装置１２では、４本の円筒型の電池３２を用いたが、電池３２の個数（本数）は１個（本）以上であればよいし、例えば直方体型や平型の電池３２を用いてもよい。また、電池３２は、１次電池であってもよいし、２次電池であってもよい。さらに、電池３２の各電極３２ａ，３２ｂの向きも上記に限定されるものではない。また、電池保持部３５の形成数は、電池３２の保持数に応じて設定すればよい。例えば、奥行方向に２以上の電池保持部３５が並設されていてもよいし、１つの電池保持部３５に対し２本以上の電池３２を左右に並べて保持するようにしてもよい。
【００６９】
また、上記した第１および第２実施形態に係る電力供給装置１２は、室内下側台座１４に内設されていたが、これに代えて、室内上側台座１３や室内側連結部１５、或いは室外側ハンドル４のいずれかに内設するようにしてもよい。
【００７０】
なお、上記した本発明の各実施形態の説明は、本発明に係る電池収容構造３１，５０のカートリッジ３３における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の各実施形態における構成要素は適宜、既存の構成要素等との置き換えが可能であり、かつ、他の既存の構成要素との組合せを含む様々なバリエーションが可能であり、上記した本発明の各実施形態の記載をもって、特許請求の範囲に記載された発明の内容を限定するものではない。
【符号の説明】
【００７１】
２  扉
２ｂ  内壁面（壁面）
３  室内側ハンドル（ハンドル）
９  主電気錠
１０  副電気錠
１４  室内下側台座（台座）
２０，５２  カバー
２０ａ  傾斜面部（傾斜面）
３１，５０  電池収容構造
３２  電池
３３  カートリッジ
３５  電池保持部
３６  第１保持部
３７  第２保持部
Ｓ２  電源空間（空間）
【図１】
2014167238.tif 000003
【図２】
2014167238.tif 000004
【図３】
2014167238.tif 000005
【図４】
2014167238.tif 000006
【図５】
2014167238.tif 000007